(57)【要約】【課題】必要な強度を確保しつつ、持ちやすさの向上が図られたトリガー式混合液噴出容器を提供する。【解決手段】トリガー式混合液噴出容器1は、容器本体の2つの充填部にそれぞれインテーク部材11を介してボディ13を配置して各シリンダ13aに配置したピストン17をそれぞれレバー18で同期動作させることでシリンダ13aと平行に伸びる排出路13bから噴出部20の噴出口A7を通して混合液を噴出させるとともに、インテーク部材11とシリンダ3aとの間にカラー30を備える。カラー30は、インテーク外筒11bを貫通させる胴体31を有し、胴体31の下端および上端がそれぞれ、インテーク基部11aに載せ置かれる補強板32と、シリンダ13aを支持する補強板33とに形成されているともに、この補強板33に、胴部31に繋がる支持部35が設けられており、胴体背面31bに湾曲形状部31c1が形成されたものである。【選択図】図３
2015101385.tif 000002
【特許請求の範囲】
【請求項１】
液体が充填される２つの充填部を有する容器本体と、容器本体を固定可能な基部を有して個々の充填部の口筒部に通じる２つのインテークが設けられたインテーク部材と、１のインテークに通じるシリンダと当該シリンダとともに平行に伸びる排出管が基部を介して一体に設けられたボディと、各シリンダに配置されたピストンをそれぞれ同期動作させるレバーと、２つの排出管を合流させて噴出口を通して２つの液体の混合液を噴出させる噴出部と、インテーク部材の基部とシリンダとの間に配置されるカラーとを備え、
当該カラーは、インテークを貫通させる胴体を有し、当該胴体の下端および上端がそれぞれ、インテーク部材の基部に載せ置かれる補強板と、シリンダを支持する補強板とに形成されているとともに、シリンダを支持する補強板に、胴部に繋がる支持部が設けられており、さらに胴体の背面に、胴体の上端から下端に向かう従って外向きに湾曲する湾曲形状部が形成されたものである、トリガー式混合液噴出容器。
【請求項２】
請求項１において、インテーク部材の基部に載せ置かれる補強板に、胴部に繋がる支持部が設けられた、トリガー式混合液噴出容器。
【発明の詳細な説明】
【技術分野】
【０００１】
本発明は、２つの充填部からの液体をそれぞれレバー操作によって圧送するとともに、これらの液体を混合させたのち、外界に噴出させるトリガー式混合液噴出容器に関するものである。
【背景技術】
【０００２】
従来のトリガー式混合液噴出容器としては、シリンダとともに平行に伸びる排出管が基部を介して一体に設けられたボディを有し、各シリンダに配置されたピストンをそれぞれレバー操作によって同期させることで、２つの充填部に充填された液体をそれぞれ吸入して加圧したのち、噴出部に形成された各液体に対応する噴出口から外界に噴出させるものがある（例えば、特許文献１参照）。
【先行技術文献】
【特許文献】
【０００３】
【特許文献１】特開平８−８４９４６号公報
【発明の概要】
【発明が解決しようとする課題】
【０００４】
ところで、こうしたトリガー式混合液噴出容器は、ボディに配置したシリンダを２つに増やして各シリンダ内のピストンをレバー操作するため、ボディを容器本体に装着するための装着筒を補強すべく、厚くて大きなものとする必要がある。
【０００５】
しかしながら、装着筒はレバーを操作するとき、グリップ（把持部）として使用されるため、厚くて大きなものになるとレバー操作時の使い勝手が悪くなるという問題がある。
【０００６】
そこで、ボディにネック部を設けてグリップとすれば、使い勝手は良くなるが、ボディがネック部分で強度低下するという新たな問題を生じる。また、ボディの形状や大きさは、レバーを動作させるための機構上、金型構造上、成形上の制約が優先されるのが通常である。このため、ボディの形状や大きさには制限があることから、十分な持ちやすさを付与することが困難であった。
【０００７】
本発明の目的とするところは、レバー操作時に必要な強度を確保することで良好な噴出動作を維持しつつ、持ちやすさの向上が図られた、新規なトリガー式混合液噴出容器を提供することにある。
【課題を解決するための手段】
【０００８】
本発明である、トリガー式混合液噴出容器は、液体が充填される２つの充填部を有する容器本体と、容器本体を固定可能な基部を有して個々の充填部の口筒部に通じる２つのインテークが設けられたインテーク部材と、１のインテークに通じるシリンダと当該シリンダとともに平行に伸びる排出管が基部を介して一体に設けられたボディと、各シリンダに配置されたピストンをそれぞれ同期動作させるレバーと、２つの排出管を合流させて噴出口を通して２つの液体の混合液を噴出させる噴出部と、インテーク部材の基部とシリンダとの間に配置されるカラーとを備え、
当該カラーは、インテークを貫通させる胴体を有し、当該胴体の下端および上端がそれぞれ、インテーク部材の基部に載せ置かれる補強板と、シリンダを支持する補強板とに形成されているとともに、シリンダを支持する補強板に、胴部に繋がる支持部が設けられており、さらに胴体の背面に、胴体の上端から下端に向かう従って外向きに湾曲する湾曲形状部が形成されたものである。
【０００９】
本発明では、胴部に繋がる支持部は、インテーク部材の基部に載せ置かれる補強板にも設けることができる。
【発明の効果】
【００１０】
本発明では、インテーク部材の基部とシリンダとの間にカラーを配置するとともに、このカラーの上下端をそれぞれ、ボディのシリンダを支持するための補強板と、インテーク部材に載せ置くための補強板とに形成するとともに、シリンダを支持するための補強板に、胴部に繋がる支持部を設けたことで、レバー操作時に必要な強度が確保されることから、良好な噴出動作を維持することができる。加えて、カラーの胴体の背面に、胴体の上端から下端に向かう従って外向きに湾曲する湾曲形状部を形成したことで、この湾曲形状部が親指と人差し指との間の手の甲にフィットすることから、持ちやすさが向上することにより手にかかる負荷を軽減させることができる。
【図面の簡単な説明】
【００１１】
【図１】本発明である、トリガー式混合液噴出容器の一実施形態を示す正面図である。
【図２】同噴出容器を示す側面図である。
【図３】図２を一部断面で示す拡大図である。
【図４】図３のＹ−Ｙ断面図である。
【図５】図３のＺ−Ｚ断面図である。
【図６】同噴出容器を示す平面図である。
【図７】（ａ）は、同噴出容器に係る、装着筒が組み付けられた状態のインテーク部材を示す平面図であり、（ｂ）は、（ａ）の正面図である。
【図８】（ａ）は、同噴出容器に係る、連結部材の斜視図であり、（ｂ）は、（ａ）の底面図である。
【図９】同噴出容器に係る、カラーを示す斜視図である。
【図１０】（ａ）は、同カラーの平面図であり、（ｂ）は、（ａ）のＡ−Ａ断面図であり、（ｃ）は、（ａ）のＢ−Ｂ断面図である。
【発明を実施するための形態】
【００１２】
以下、図面を参照して、本発明である、トリガー式混合液噴出容器の一実施形態を詳細に説明する。
【００１３】
図１中、符号１は、本発明の一実施形態である、トリガー式混合液噴出容器である。符号２は、２つの液体Ａ，Ｂが充填される容器本体である。容器本体２は、液体Ａ（１液）が充填される充填部２Ａと、液体Ｂ（他の１液）が充填される充填部２Ｂを一体に備える。また、容器本体２は、ベースカップ２Ｄにより自立させることができる。充填部２Ａおよび充填部２Ｂにはそれぞれ、図４に示すように、液体の充填空間ＳA,ＳBに通じる口筒部２Ｃが設けられている。口筒部２Ｃにはそれぞれ、中栓３Ａ，３Ｂが固定されている。中栓３Ａ，３Ｂにはそれぞれ、ディップチューブ４Ａ，４Ｂが設けられている。ディップチューブ４Ａは、充填空間ＳA内の液体Ａを吸引するための通路として機能する。同様に、ディップチューブ４Ｂは、充填空間ＳB内の液体Ｂを吸引するための通路として機能する。
【００１４】
符号１０は、トリガーポンプである。トリガーポンプ１０は、インテーク部材１１を有する。インテーク部材１１は、中栓３Ａ，３Ｂを介して容器本体２に載せ置かれる基部１１ａを有する。また、インテーク部材１１は、基部１１ａに対して回転可能に保持される装着筒１２を有する。装着筒１２の内側には、容器本体２に形成されたおねじ部２ｓと螺合するめねじ部１２ｓが形成されている。これにより、インテーク部材１１は、容器本体２に対して固定することができる。また、インテーク部材１１には、基部１１ａから一体に起立する２つの外筒部１１ｂが設けられている。外筒部１１ｂの内側には、中空のインテーク１１ｃが一体に設けられている。一方のインテーク１１ｃは、中栓３Ａに設けられたディップチューブ４Ａを通して充填空間ＳAに通じる。同様に、他方のインテーク１１ｃは、中栓３Ｂに設けられたディップチューブ４Ｂを通して充填空間ＳBに通じる。
【００１５】
符号１３は、連結部材１４を介してインテーク部材１１に固定される一対のボディである。ボディ１３は、図４に示すように、横並びに配置されており、別体として設けられたシリンダ１３ａを有する。また、ボディ１３は、排出管１３ｂが連結片１３ｃを介してシリンダ１３ａの上方に設けられている。排出管１３ｂの内側には、各シリンダ１３ａに通じる排出流路ｒ1が形成されている。さらに、ボディ１３は、図３に示すように、シリンダ１３ａと排出管１３ｂを連結する基部１３ｄを有する。基部１３ｄは、各インテーク部材１１に連結部材１４を介して固定される。連結部材１４は、図４に示すように、各インテーク１１ｃの外筒部１１ｂを貫通させる２つの挿入筒１４ａを有する。挿入筒１４ａはそれぞれ、連結筒１４ｄを介して一体に設けられている。連結部材１４は、インテーク部材１１とボディ１３との間を固定する。なお、ポンプカバー１０ａと装着筒１２との間には、カラー１９が配置されており、ボディ１３は、カラー１９の内側に配置されている。
【００１６】
また、基部１３ｄの内側には、図５に示すように、インテークロッド１５が配置されている。インテークロッド１５にはそれぞれ、吸入弁１６ａと排出弁１６ｂが設けられている。さらにインテークロッド１５にはそれぞれ、図３に示すように、吸入弁１６ａと排出弁１６ｂとの間に流通孔Ａ1が形成されている。流通孔Ａ1は、シリンダ１３ａに形成された開口部Ａ2に通じる。これにより、シリンダ１３ａはそれぞれ、インテークロッド１５を介して１つのインテーク１１ｃに通じる。さらに、インテークロッド１５には、排出弁１６ｂの出側（下流側）に排出口Ａ3が形成されている。これにより、シリンダ１３ａはそれぞれ、個々の排出流路ｒ1に通じる。
【００１７】
符号１７は、シリンダ１３ａ内にスライド可能に密閉保持されるピストンである。ピストン１７は、シリンダ１３ａとの間にポンプ室Ｓpを形成する。符号１８は、各シリンダ１３ａに配置された２つのピストン１７を同期して動作させるレバーである。レバー１８は、ボディ１３に対して回転可能に保持される軸部１８ｐを有する。これにより、レバー１８は、軸部１８ｐを基点に牽曳することができる。さらに、レバー１８は、ボディ１３に設けられた弾性部材１３ｅによって保持されている。これにより、レバー１８を弾性部材１３ｅの付勢力に抗して牽曳したのち、その牽曳動作を解除すると、弾性部材１３ｅの復元力（付勢力）によって初期位置に自動的に復帰させることができる。
【００１８】
符号２０は、２つの排出流路ｒ1を合流させて混合液を噴出させる噴出部である。噴出部２０は、ボディ１３の先端側に固定されるアダプタエレメント２１と、アダプタエレメント２１に固定されて個々の排出流路ｒ1に対応する２つの開口が形成されたスピンエレメント２２と、このスピンエレメント２２に形成された２つの開口を開閉するノズルバルブ２３と、スピンエレメント２２に固定されてその内側に２つのノズルバルブ２３を収容するジョイントカバー２４と、このジョイントカバー２４とともにノズルバルブ２３からの合流路を形成する噴出ノズル２５とを備える。
【００１９】
なお、本実施形態では、図１に示すように、噴出ノズル２５には、レバー１８の牽曳動作を阻止して誤噴出を防止するためのストッパ２６が設けられている。ストッパ２６は、噴出ノズル２５に固定される固定部２６ａと、この固定部２６ａから伸びるアーム２６ｂと、アーム２６ｂの先端に設けられたストッパ本体２６ｃと有する。これにより、噴出ノズル２５を軸線周りに回転させると、ストッパ本体２６ｃがレバー１８の背面に配置されることで、レバー１８の牽曳が阻止される。また、噴出ノズル２５には、障壁板２７が設けられている。障壁板２７は貫通孔を有し、噴出ノズル２５の前面で揺動させることで、貫通孔と噴出口Ａ7とを選択することにより、噴出状態を適宜変更することができる。
【００２０】
さらに、本実施形態では、図３に示すように、ボディ１３は、カラー３０によってインテーク部材１１に対して保持されている。次に、カラー３０について説明する。
【００２１】
本実施形態では、インテーク部材１１は、図７に示すように、２つの外筒部１１ｂがインテーク１１ｃとともに基部１１ａから一体に起立する。外筒部１１ｂにはそれぞれ、４つの突条１１ｄが設けられている。突条１１ｄは、外筒部１１ｂに沿って外向きに突出する。このため、本実施形態では、装着筒１２およびカラー３０は、インテーク部材１１の上からセットする必要がある。
【００２２】
一方、本実施形態では、図３に示すように、ボディ１３の基部１３ｄには連結部材１４が固定されている。連結部材１４は、図８（ａ）に示すように、挿入筒１４ａの内側にそれぞれ、インテーク部材１１の外筒部１１ｂを貫通させる開口部Ａ14を有する。開口部Ａ14を形成する内周面には、図８（ｂ）に示すように、４つの突条１４ｂが設けられている。突条１４ｂは、内向きに突出するとともに条溝１４ｃが形成されている。インテーク部材１１は、連結部材の条溝１４ｃを案内にして突起１１ｄをスライドさせることで、連結部材１４に組み付けられる。このため、本実施形態では、連結部材１４は、インテーク部材１１の上からセットする必要がある。
【００２３】
これに対し、本実施形態では、カラー３０は、図９に示すように、胴体３１を有する。胴体３１は、その断面形状がほぼ楕円形状の筒壁としてなり、その長辺側がそれぞれ、前面壁３１ａと背面壁３１ｂを形成する。前面壁３１ａは、ほぼ垂直な壁を形成し、その下端は、前方に向かって伸びる補強板３２に形成されている。補強板３２は、図３に示すように、インテーク部材１１の基部１１ａに載せ置かれることで、カラー３０が前面壁３１ａ側に傾倒することを防止する。また、背面壁３１ｂは、親指と人差し指との間の手の甲が接触する把握部として機能する。背面壁３１ｂは、図１０（ｃ）に示すように、その上端側はほぼ垂直な壁を形成するが、その下端側には、下端に向かうに従って末広がりの湾曲形状部３１ｃ1が形成されている。湾曲形状部３１ｃ1は、同図に示すように、曲率半径Ｒ1で変曲したのち、胴体３１の上端から下端に向かう従って外向きに湾曲する。
【００２４】
また、胴体３１の短辺側はそれぞれ、図１０（ｂ）に示すように、側面壁３１ｄを形成する。側面壁３１ｄも同図に示すように、その上端側はほぼ垂直な壁を形成するが、その下端側には、下端に向かうに従って末広がりの湾曲形状部３１ｃ2が形成されている。湾曲形状部３１ｃ2は、同図に示すように、曲率半径Ｒ2（＞Ｒ1）で変曲したのち、胴体３１の上端から下端に向かう従って外向きに湾曲する。
【００２５】
一方、前面壁３１ａの上端は、図１０（ｃ）に示すように、背面壁３１ｂの上端よりも高く設定されているとともに、前方に向かって伸びる補強板３３に形成されている。補強板３３は、図３に示すように、ボディ１３のシリンダ１３ａを支持することで、シリンダ１３ａが、その付け根部分（基部１３ｄとの結合部分）を基点に、傾倒するなどの変形を防止する。本実施形態では、図１０（ａ）に示すように、補強板３３の上面には、複数の位置決め突条３４が設けられている。位置決め突条３４は、２つ一組でシリンダ３ａを両側から挟み込むようにして、各シリンダ３ａを受ける。
【００２６】
加えて、補強板３３には、図１０（ｃ）に示すように、胴部３１ａに繋がる支持部３５が設けられている。支持部３５は、補強板３３を下側から支持する。これにより、支持部３５は、補強板３３が、その付け根部分（前面壁３１ａとの結合部分）を基点に傾倒することを防止する。本実施形態では、支持部３５は、図１０（ｂ）に示すように、複数の補強リブとして形成されている。
【００２７】
これに対し、背面壁３１ｂの上端は、図１０（ａ）に示すように、内側に向かって突出する内縁板３１ｅに形成されている。内縁板３１ｅは、同図に示すように、側面壁３１ｄの上端内縁に沿って前面壁３１ａに向かって伸びる。内縁板３１ｅは、同図に示すように前面壁３１ａに向かうに従って側面壁３１ｄの上端内縁に収束することで、前面壁３１ａおよび側面壁３１ｄの上端とともに開口部Ａ30を形成する。これにより、開口部Ａ30は、同図に示すように、連結部材１４を貫通させる開口部として、ほぼ楕円形の開口部に形作られる。さらに、背面壁３１ｂの上端には、突起部３６が設けられている。突起部３６は、例えば、ポンプカバー１０aの下端に形成される隙間を埋めることができる。
【００２８】
加えて、前面壁３１ａおよび側面壁３１ｄの内側には、突条３１ｐが設けられている。同様に、背面壁３１ｂの内側には、図１０（ｃ）に示すように、縦板３７を介して突条３１ｐが設けられている。４つの突条３１ｐはそれぞれ、内向きに突出することで、図３，４に示すように、連結部材１４の連結筒１４ｄを嵌合保持する。
【００２９】
ここで、本実施形態の組み付け方法を説明すると、先ず、容器本体２に対して装着筒１２を用いてインテーク部材１１を固定する。次いで、インテーク部材１１の上から連結部材１４を被せることで、インテーク部材１１の外側に連結部材１４を組み付ける。そして、連結部材１４の上からカラー３０を被せることで、連結部材１４の外側に組み付ける。ボディ１３は、カラー３０を組み付けた後、連結部材１４に組み付けられる。
【００３０】
本実施形態では、インテーク部材１１の基部１１ａとシリンダ１３ａとの間にカラー３０を配置するとともに、このカラー３０の上下端をそれぞれ、シリンダ１３ａを支持するための補強板３３と、インテーク部材１１に載せ置くための補強板３２とに形成するとともに、補強板３３に、胴部３１に繋がる支持部３５を設けたことで、レバー操作時に必要な強度が確保されることから、良好な噴出動作を維持することができる。加えて、胴体３１の背面壁３１ｂに、胴体３１の上端から下端に向かう従って外向きに湾曲する湾曲形状部３１ｃ1を形成したことで、この湾曲形状部３１ｃ1が親指と人差し指との間の手の甲にフィットすることから、持ちやすさが向上することにより手にかかる負荷を軽減させることができる。なお、本発明に従えば、支持部３５は、補強板３２に設けることも可能である。
【００３１】
上述したところは、本発明の一形態を示したにすぎず、特許請求の範囲において、種々の変更を加えることができる。例えば、ボディ１３は一体に形成することができる。また、ストッパ２６や障壁板２７は省略することができる。
【符号の説明】
【００３２】
１      トリガー式混合液噴出容器
２      容器本体
２Ａ    充填部
２Ｂ    充填部
２Ｃ    口筒部
２Ｄ    ベースカップ
３Ａ    中栓
３Ｂ    中栓
４Ａ    ディップチューブ
４Ｂ    ディップチューブ
１０    トリガーポンプ
１１    インテーク部材
１１ａ  基部
１１ｂ  外筒部
１１ｃ  インテーク
１１ｄ  突条
１３    ボディ
１３ａ  シリンダ
１３ｂ  排出管
１３ｃ  連結片
１３ｄ  基部
１３ｅ  弾性部材
１４    連結部材
１４ａ  挿入筒
１４ｂ  突条
１４ｃ  条溝
１４ｄ  連結筒
１５    インテークロッド
１６ａ  吸入弁
１６ｂ  排出弁
１７    ピストン
１８    レバー
１８ｐ  軸部
２０    噴出部
２１    アダプタエレメント
２２    スピンエレメント
２３    ノズルバルブ
２４    ジョイントカバー
２５    噴出ノズル
２６    ストッパ
２７    障壁板
３０    カラー
３１    胴体
３１ａ  前面壁
３１ｂ  背面壁
３１ｃ1 湾曲形状部
３１ｃ2 湾曲形状部
３１ｄ  側面壁
３１ｅ  内縁板
３２    補強板
３３    補強板
３４    位置決め突条
３５    支持板
３６    突起部
Ａ      液体
Ｂ      液体
Ａ1     流通孔
Ａ2     開口部
Ａ3     排出口
Ａ7     噴出口
Ａ14     開口部
ｒ1     排出流路
ｒ7     合流部
Ｒ1     曲率半径
Ｒ2     曲率半径
ＳA     充填空間
ＳB     充填空間
Ｓp     ポンプ室
【図１】
2015101385.tif 000003
【図２】
2015101385.tif 000004
【図３】
2015101385.tif 000005
【図４】
2015101385.tif 000006
【図５】
2015101385.tif 000007
【図６】
2015101385.tif 000008
【図７】
2015101385.tif 000009
【図８】
2015101385.tif 000010
【図９】
2015101385.tif 000011
【図１０】
2015101385.tif 000012